(57)【要約】【課題】レンズ鏡筒から適切な区分の情報が得られない場合でも、光学系の焦点検出を適切に行うことができるカメラボディを提供する。【解決手段】焦点調節レンズ３２のレンズ駆動範囲に設定された区分の数、および焦点調節レンズ３２が存在する区分の情報のうち少なくとも一方を含む区分位置情報を、レンズ鏡筒２から取得し、区分位置情報を含まないレンズ情報をカメラボディに送信する第１通信態様、および、区分位置情報を含むレンズ情報をカメラボディに送信する第２通信態様のうち、レンズ鏡筒３が対応する通信態様を示す対応通信情報をレンズ鏡筒３から受信し、受信した対応通信情報に基づいて、レンズ鏡筒３が第２通信態様による通信に対応しているか否かを判断し、判断部２１の判断結果に応じて、焦点検出を行う際の焦点調節レンズ３２の駆動態様を異ならせる。【選択図】  図１
2013257427.tif 000002
【特許請求の範囲】
【請求項１】
焦点調節レンズを有する光学系を備えるレンズ鏡筒を装着可能なカメラボディであって、
前記光学系の焦点状態を検出する焦点検出部と、
前記焦点調節レンズが駆動可能なレンズ駆動範囲において光軸方向に設定された区分の数の情報、および、前記焦点調節レンズが存在する区分の情報のうち少なくとも一方を含む区分位置情報を、レンズ鏡筒から取得可能な通信部と、
前記区分位置情報を含まないレンズ情報をレンズ鏡筒からカメラボディに対して送信する第１通信態様、および、前記区分位置情報を含むレンズ情報をレンズ鏡筒からカメラボディに対して送信する第２通信態様のうち、レンズ鏡筒が対応する通信態様を示す対応通信情報をレンズ鏡筒から受信する受信部と、
前記受信部によりレンズ鏡筒から実際に受信した前記対応通信情報に基づいて、レンズ鏡筒が前記第２通信態様の通信に対応しているか否かを判断する判断部と、
前記焦点調節レンズを駆動させながら、前記焦点検出部に前記光学系の焦点状態の検出を行わせる制御部と、を備え、
前記制御部は、前記判断部の判断結果に応じて、前記焦点検出部により焦点検出を行う際の前記焦点調節レンズの駆動態様を異ならせることを特徴とするカメラボディ。
【請求項２】
請求項１に記載のカメラボディであって、
前記制御部は、前記判断部によりレンズ鏡筒が前記第２通信態様の通信に対応していないと判断された場合には、前記焦点調節レンズを至近端または無限遠端まで駆動させた後に、前記焦点調節レンズを駆動後の位置から遠い方の端部に向かって駆動させながら、前記焦点検出部に前記光学系の焦点状態を検出させることを特徴とするカメラボディ。
【請求項３】
請求項１または２に記載のカメラボディであって、
前記制御部は、前記判断部によりレンズ鏡筒が前記第２通信態様の通信に対応していないと判断された場合には、前記焦点調節レンズが駆動可能な全ての範囲において、前記焦点調節レンズを駆動させながら、前記焦点検出部に前記光学系の焦点状態を検出させることを特徴とするカメラボディ。
【請求項４】
請求項１〜３のいずれかに記載のカメラボディであって、
前記制御部は、前記判断部によりレンズ鏡筒が前記第２通信態様による通信に対応していると判断された場合には、前記第２通信態様の通信によりレンズ鏡筒から取得した前記区分位置情報に基づいて、前記焦点調節レンズを駆動させながら、前記焦点検出部に前記光学系の焦点状態を検出させることを特徴とするカメラボディ。
【請求項５】
焦点調節レンズを有する光学系を備えるレンズ鏡筒を装着可能なカメラボディであって、
前記光学系の焦点状態を検出する焦点検出部と、
レンズ鏡筒からレンズ情報を含む情報を受信情報として受信する受信部と、
レンズ鏡筒の種別ごとに、レンズ鏡筒から受信可能な情報を記憶情報として予め記憶している記憶部と、
前記受信部によりレンズ鏡筒から実際に受信した前記受信情報が、前記記憶部に記憶されている前記記憶情報と合致するか否かを判断する判断部と、
前記焦点調節レンズを駆動させながら、前記焦点検出部に前記光学系の焦点状態の検出を行わせる制御部と、を備え、
前記制御部は、前記判断部の判断結果に応じて、前記焦点検出部により焦点検出を行う際の前記焦点調節レンズの駆動態様を異ならせることを特徴とするカメラボディ。
【請求項６】
請求項５に記載のカメラボディであって、
前記判断部は、前記受信情報のうちレンズ鏡筒から実際に受信した前記焦点調節レンズが駆動可能なレンズ駆動範囲において光軸方向に設定された区分の数の情報と、前記記憶情報のうち前記記憶部に記憶している前記区分の数の情報とが合致するか否かを判断し、前記レンズ鏡筒から実際に受信した前記区分の数の情報と、前記記憶部に記憶している前記区分の数の情報とが合致しない場合に、前記受信情報と前記記憶情報とは合致しないと判断することを特徴とするカメラボディ。
【請求項７】
請求項１〜６のいずれかに記載のカメラボディを備えた撮像装置。
【発明の詳細な説明】
【技術分野】
【０００１】
本発明は、カメラボディおよび撮像装置に関する。
【背景技術】
【０００２】
従来より、焦点調節レンズが駆動可能な範囲を複数の区分に分割し、エンコーダなどの位置検出装置により、焦点調節レンズが存在する区分を検出し、検出した区分に基づいて、焦点調節を行う技術が知られている（たとえば、特許文献１参照）。
【先行技術文献】
【特許文献】
【０００３】
【特許文献１】特開２００１−２０１６７７号公報
【発明の概要】
【発明が解決しようとする課題】
【０００４】
しかしながら、レンズ鏡筒から適切な区分の情報を得られない場合に、光学系の焦点調節を適切に行えない場合があった。
【０００５】
本発明が解決しようとする課題は、レンズ鏡筒から適切な区分の情報を得られない場合でも、光学系の焦点調節を適切に行うことができるカメラボディを提供することである。
【課題を解決するための手段】
【０００６】
本発明は、以下の解決手段によって上記課題を解決する。なお、以下においては、本発明の実施形態を示す図面に対応する符号を付して説明するが、この符号は本発明の理解を容易にするためだけのものであって発明を限定する趣旨ではない。
【０００７】
[１]本発明の第１の観点に係るカメラボディは、焦点調節レンズ（３２）を有する光学系を備えるレンズ鏡筒（３）を装着可能なカメラボディであって、前記光学系の焦点状態を検出する焦点検出部（２１）と、前記焦点調節レンズが駆動可能なレンズ駆動範囲において光軸方向に設定された区分の数の情報、および、前記焦点調節レンズが存在する区分の情報のうち少なくとも一方を含む区分位置情報を、レンズ鏡筒から取得可能な通信部（２９）と、前記区分位置情報を含まないレンズ情報をレンズ鏡筒からカメラボディに対して送信する第１通信態様、および、前記区分位置情報を含むレンズ情報をレンズ鏡筒からカメラボディに対して送信する第２通信態様のうち、レンズ鏡筒が対応する通信態様を示す対応通信情報をレンズ鏡筒から受信する受信部（２９）と、前記受信部によりレンズ鏡筒から受信した前記対応通信情報に基づいて、レンズ鏡筒が前記第２通信態様の通信に対応しているか否かを判断する判断部（２１）と、前記焦点調節レンズを駆動させながら、前記焦点検出部に前記光学系の焦点状態の検出を行わせる制御部（２１）と、を備え、前記制御部は、前記判断部の判断結果に応じて、前記焦点検出部により焦点検出を行う際の前記焦点調節レンズの駆動態様を異ならせることを特徴とする。
【０００８】
[２] 上記カメラボディに係る発明において、前記制御部（２１）は、前記判断部（２１）によりレンズ鏡筒（３）が前記第２通信態様の通信に対応していないと判断された場合には、前記焦点調節レンズ（３２）を至近端または無限遠端まで駆動させた後に、前記焦点調節レンズを駆動後の位置から遠い方の端部に向かって駆動させながら、前記焦点検出部（２１）に前記光学系の焦点状態を検出させるように構成することができる。
【０００９】
[３] 上記カメラボディに係る発明において、前記制御部（２１）は、前記判断部（２１）によりレンズ鏡筒（３）が前記第２通信態様の通信に対応していないと判断された場合には、前記焦点調節レンズ（３２）が駆動可能な全ての範囲において、前記焦点調節レンズを駆動させながら、前記焦点検出部（２１）に前記光学系の焦点状態を検出させることを特徴とするカメラボディ。
【００１０】
[４] 上記カメラボディに係る発明において、前記制御部（２１）は、前記判断部（２１）によりレンズ鏡筒（３）が第２通信態様の通信に対応していると判断された場合には、前記第２通信態様の通信によりレンズ鏡筒から取得した前記区分位置情報に基づいて、前記焦点調節レンズ（３２）を駆動させながら、前記焦点検出部（２１）に前記光学系の焦点状態を検出させるように構成することができる。
【００１１】
[５]本発明の第２の観点に係るカメラボディは、焦点調節レンズ（３２）を有する光学系を備えるレンズ鏡筒（３）を装着可能なカメラボディであって、前記光学系の焦点状態を検出する焦点検出部（２１）と、レンズ鏡筒からレンズ情報を含む情報を受信情報として受信する受信部（２９）と、レンズ鏡筒の種別ごとに、レンズ鏡筒から受信可能な情報を記憶情報として予め記憶している記憶部（２１１）と、前記受信部によりレンズ鏡筒から実際に受信した前記受信情報が、前記記憶部に記憶されている前記記憶情報と合致するか否かを判断する判断部（２１）と、前記焦点調節レンズを駆動させながら、前記焦点検出部に前記光学系の焦点状態の検出を行わせる制御部（２１）と、を備え、前記制御部は、前記判断部の判断結果に応じて、前記焦点検出部により焦点検出を行う際の前記焦点調節レンズの駆動態様を異ならせることを特徴とする。
【００１２】
[６] 上記カメラボディに係る発明において、前記判断部（２１）は、前記受信情報のうちレンズ鏡筒（３）から実際に受信した前記焦点調節レンズ（３２）が駆動可能なレンズ駆動範囲において光軸方向に設定された区分の数の情報と、前記記憶情報のうち前記記憶部（２１１）に記憶している前記区分の数の情報とが合致するか否かを判断し、前記レンズ鏡筒から実際に受信した前記区分の数の情報と、前記記憶部に記憶している前記区分の数の情報とが合致しない場合に、前記受信情報と前記記憶情報とは合致しないと判断するように構成することができる。
【００１３】
[７]本発明の撮像装置は、上記カメラボディを備えることを特徴とする。
【発明の効果】
【００１４】
本発明によれば、レンズ鏡筒から適切な区分の情報を得られない場合でも、光学系の焦点調節を適切に行うことができる。
【図面の簡単な説明】
【００１５】
【図１】図１は、本実施形態に係るカメラを示すブロック図である。
【図２】図２は、フォーカスレンズの駆動可能範囲と、エンコーダにより検出可能なフォーカスレンズの位置（区分位置）との関係を示す図である。
【図３】図３は、レンズ鏡筒からカメラ本体に送信される区分位置情報の一例を示す図である。
【図４】図４は、図１に示す撮像素子の撮像面を示す正面図である。
【図５】図５は、図４のV部を拡大して焦点検出画素２２２ａ，２２２ｂの配列を模式的に示す正面図である。
【図６】図６は、撮像画素２２１の一つを拡大して示す正面図である。
【図７】図７（Ａ）は、焦点検出画素２２２ａの一つを拡大して示す正面図、図７（Ｂ）は、焦点検出画素２２２ｂの一つを拡大して示す正面図である。
【図８】図８は、撮像画素２２１の一つを拡大して示す断面図である。
【図９】図９（Ａ）は、焦点検出画素２２２ａの一つを拡大して示す断面図、図９（Ｂ）は、焦点検出画素２２２ｂの一つを拡大して示す断面図である。
【図１０】図１０は、図５のX-X線に沿う断面図である。
【図１１】図１１は、本実施形態に係るカメラの動作を示すフローチャートである（その１）。
【図１２】図１２は、本実施形態に係るカメラの動作を示すフローチャートである（その２）。
【図１３】図１３は、レンズ鏡筒が、区分位置情報を含むレンズ情報をカメラ本体に送信する「第２通信態様」の通信に対応していない場合の焦点評価値とフォーカスレンズ位置との関係の一例を示す図である。
【図１４】図１４は、レンズ鏡筒が、区分位置情報を含むレンズ情報をカメラ本体に送信する「第２通信態様」の通信に対応している場合の焦点評価値とフォーカスレンズ位置との関係の一例を示す図である。
【図１５】図１５は、レンズ鏡筒が、区分位置情報を含むレンズ情報をカメラ本体に送信する「第２通信態様」の通信に対応していない場合の焦点評価値とフォーカスレンズ位置との関係の他の例を示す図である。
【図１６】図１６は、他の実施形態に係るカメラを示すブロック図である。
【発明を実施するための形態】
【００１６】
以下、本発明の実施形態を図面に基づいて説明する。
【００１７】
図１は、本発明の実施形態に係るデジタルカメラ１を示す要部構成図である。本実施形態のデジタルカメラ１（以下、単にカメラ１という。）は、カメラ本体２とレンズ鏡筒３から構成され、これらカメラ本体２とレンズ鏡筒３はマウント部４により着脱可能に結合されている。
【００１８】
レンズ鏡筒３は、カメラ本体２に着脱可能な交換レンズである。図１に示すように、レンズ鏡筒３には、レンズ３１，３２，３３、および絞り３４を含む撮影光学系が内蔵されている。
【００１９】
レンズ３２は、フォーカスレンズであり、光軸Ｌ１方向に移動することで、撮影光学系の焦点距離を調節可能となっている。フォーカスレンズ３２は、レンズ鏡筒３の光軸Ｌ１に沿って移動可能に設けられ、エンコーダ３５によってその位置が検出されつつフォーカスレンズ駆動モータ３６によってその位置が調節される。
【００２０】
このフォーカスレンズ３２の光軸Ｌ１に沿う移動機構の具体的構成は特に限定されない。一例を挙げれば、レンズ鏡筒３に固定された固定筒に回転可能に回転筒を挿入し、この回転筒の内周面にヘリコイド溝（螺旋溝）を形成するとともに、フォーカスレンズ３２を固定するレンズ枠の端部をヘリコイド溝に嵌合させる。そして、フォーカスレンズ駆動モータ３６によって回転筒を回転させることで、レンズ枠に固定されたフォーカスレンズ３２が光軸Ｌ１に沿って直進移動することになる。
【００２１】
上述したようにレンズ鏡筒３に対して回転筒を回転させることによりレンズ枠に固定されたフォーカスレンズ３２は光軸Ｌ１方向に直進移動するが、その駆動源としてのフォーカスレンズ駆動モータ３６がレンズ鏡筒３に設けられている。フォーカスレンズ駆動モータ３６と回転筒とは、たとえば複数の歯車からなる変速機で連結され、フォーカスレンズ駆動モータ３６の駆動軸を何れか一方向へ回転駆動すると所定のギヤ比で回転筒に伝達され、そして、回転筒が何れか一方向へ回転することで、レンズ枠に固定されたフォーカスレンズ３２が光軸Ｌ１の何れかの方向へ直進移動することになる。なお、フォーカスレンズ駆動モータ３６の駆動軸が逆方向に回転駆動すると、変速機を構成する複数の歯車も逆方向に回転し、フォーカスレンズ３２は光軸Ｌ１の逆方向へ直進移動することになる。
【００２２】
フォーカスレンズ３２の位置はエンコーダ３５によって検出される。既述したとおり、フォーカスレンズ３２の光軸Ｌ１方向の位置は回転筒の回転角に相関するので、たとえばレンズ鏡筒３に対する回転筒の相対的な回転角を検出すれば求めることができる。
【００２３】
本実施形態のエンコーダ３５としては、回転筒の回転駆動に連結された回転円板の回転をフォトインタラプタなどの光センサで検出して、回転数に応じたパルス信号を出力するものや、固定筒と回転筒の何れか一方に設けられたフレキシブルプリント配線板の表面のエンコーダパターン（電極パターン）に、何れか他方に設けられたブラシ接点を接触させ、回転筒の移動量（回転方向でも光軸方向の何れでもよい）に応じた接触位置の変化を検出回路で検出するものなどを用いることができる。
【００２４】
フォーカスレンズ３２は、上述した回転筒の回転によってカメラボディ側の端部（至近端ともいう）から被写体側の端部（無限遠端ともいう）までの間を光軸Ｌ１方向に移動することができる。
【００２５】
ここで、図２は、フォーカスレンズ３２が駆動可能な駆動可能範囲と、エンコーダ３５により検出可能なフォーカスレンズ３２の位置（区分位置）との関係を示す図である。本実施形態では、図２に示すように、フォーカスレンズ３２が駆動できる駆動範囲が、たとえば、Ｄ１〜Ｄ１２の１２の区分に分割されている。すなわち、本実施形態では、エンコーダ３５により検出可能なフォーカスレンズ３２の区分位置の数である分割区分数Ｎが１２とされており、各区分Ｄ１〜Ｄ１２は、無限遠端側から至近端側に向かって順に、区分番号ＮＤが１〜１２に設定されている。すなわち、無限遠端の区分Ｄ１は、区分番号ＮＤ＝１とされ、その至近側の隣の区分Ｄ２は、区分番号ＮＤ＝２とされる。また、至近端の区分Ｄ１２は、区分番号ＮＤ＝１２とされ、その無限遠側の隣の区分Ｄ１１は、区分番号ＮＤ＝１１とされる。なお、図２においては、フォーカスレンズ３２の現在位置が、Ｄ３（区分番号ＮＤ＝３）内に位置する場面を例示している。
【００２６】
そして、本実施形態では、エンコーダ３５は、フォーカスレンズ３２が現在位置する区分の位置を検出し、フォーカスレンズ３２が現在位置する区分の区分番号ＮＤ（たとえば、図２に示す例では、区分番号ＮＤ＝３）をレンズ制御部３７に送信する。
【００２７】
絞り３４は、上記撮影光学系を通過して撮像素子２２に至る光束の光量を制限するとともにボケ量を調整するために、光軸Ｌ１を中心にした開口径が調節可能に構成されている。絞り３４による開口径の調節は、たとえば自動露出モードにおいて演算された適切な開口径が、カメラ制御部２１からレンズ制御部３７を介して送出されることにより行われる。また、カメラ本体２に設けられた操作部２８によるマニュアル操作により、設定された開口径がカメラ制御部２１からレンズ制御部３７に入力される。絞り３４の開口径は図示しない絞り開口センサにより検出され、レンズ制御部３７で現在の開口径が認識される。
【００２８】
レンズメモリ３８は、図２に示すエンコーダ３５により検出可能なフォーカスレンズ３２の位置の情報として、分割区分数Ｎ（たとえば、図２に示す例では、分割区分数Ｎ＝１２）、無限遠端の区分番号ＮＤ＿Ｆ（たとえば、図２に示す例では、無限遠端の区分番号ＮＤ＿Ｆ＝１）および至近端の区分番号ＮＤ＿Ｎ（たとえば、図２に示す例では、至近端の区分番号ＮＤ＿Ｎ＝１２）の情報を記憶している。
【００２９】
また、レンズメモリ３８には、レンズ鏡筒３に固有のレンズ情報が記憶されている。たとえば、レンズメモリ３８には、レンズ鏡筒３のレンズ名、焦点距離、および、フォーカスレンズ３２の最大駆動速度などの情報がレンズ情報として記憶されている。
【００３０】
レンズ制御部３７は、エンコーダ３５から現在レンズ位置の区分番号ＮＤ（フォーカスレンズ３２の現在位置の区分番号ＮＤ）を受信し、受信した現在レンズ位置の区分番号ＮＤを、レンズメモリ３８に記憶されている分割区分数Ｎ、至近端の区分番号ＮＤ＿Ｎ、無限遠側の区分番号ＮＤ＿Ｆとともに、フォーカスレンズ３２の区分位置情報として、レンズ通信部３９を介して、カメラ本体２のカメラ通信部２９へと送信し、これらの情報を、最終的に後述するカメラ制御部２１へと送信する。また、レンズ制御部３７は、レンズメモリ３８に記憶されているレンズ情報を、レンズ通信部３９を介して、カメラ本体２のカメラ通信部２９へと送信し、これらの情報を、最終的に後述するカメラ制御部２１へと送信する。
【００３１】
また、レンズ制御部３７は、レンズ通信部３９を介して、区分位置情報を含まないレンズ情報を、レンズ鏡筒３からカメラ本体２に対して送信する第１通信態様による通信、および、区分位置情報を含むレンズ情報を、レンズ鏡筒３からカメラ本体２に対して送信する第２通信態様による通信のうち、いずれか一方の通信態様による通信を行う。なお、本実施形態において、レンズ鏡筒３が対応する通信態様の情報（第１通信態様に対応するか、第２通信態様に対応するかの情報）を対応通信情報としてレンズメモリ３８に記憶しており、レンズ制御部３７は、レンズ通信部３９を介して、対応通信情報をカメラ本体２に送信する。
【００３２】
ここで、図３は、レンズ制御部３７から送信される区分位置情報および対応通信情報の一例を示す図である。たとえば、図３に示すように、レンズ鏡筒３として、第２通信態様による通信に対応するレンズ鏡筒Ａがカメラ本体２に装着され、かつ、図２に示す場面例のように、レンズ鏡筒Ａのフォーカスレンズ３２が区分番号ＮＤ＝３の位置に存在している場合、レンズ制御部３７は、現在レンズ位置の区分番号ＮＤを３、分割区分数Ｎを１２、無限遠側の区分番号ＮＤ＿Ｆを１、至近端の区分番号ＮＤ＿Ｎを１２、および対応通信情報を「第２通信態様」として、カメラ制御部２１に送信する。
【００３３】
なお、レンズ鏡筒の種別によっては、たとえば、図３のレンズ鏡筒Ｂに示すように、分割区分数Ｎを記憶しているが、レンズ鏡筒Ｂの対応通信情報が区分位置情報を含まないレンズ情報を通信する「第１通信態様」として記憶されている場合もある。このような場合、レンズ制御部３７は、たとえば現在レンズ位置の区分番号ＮＤを６、対応通信情報を「第１通信態様」として、カメラ制御部２１に送信する。さらに、レンズ鏡筒の種別によっては、図３に示すレンズ鏡筒Ｃのように、区分位置情報や対応通信情報を全く記憶していない場合もあり、レンズ鏡筒３からカメラ本体２に対して区分位置情報および対応通信情報が送信されない場合もある。
【００３４】
さらに、レンズ制御部３７は、上記データの送信に加えて、カメラ制御部２１からの指令に基づいて、フォーカスレンズ３２の駆動、絞り３４による開口径の調節などレンズ鏡筒３全体の制御を実行する。
【００３５】
レンズ通信部３９は、カメラ制御部２１とマウント部４に設けられた電気信号接点部４１を介して、カメラ本体２のカメラ通信部２９と、互いに信号の授受が可能に構成されている。レンズ通信部３９は、レンズ鏡筒３の通信インターフェースであり、また、カメラ通信部２９はカメラ本体２の通信インターフェースであり、レンズ鏡筒３のレンズ制御部３７と、カメラ本体２のカメラ制御部２１は、これら通信インターフェースを使用して、互いにデータ通信を実行する。なお、本実施形態においては、通信インターフェースであるレンズ通信部３９とカメラ通信部２９との間においては、ホットライン通信と、コマンドデータ通信との２種類のデータ通信が併用して実行される。そのため、構造上は、ホットライン通信を行なう通信ラインと、コマンドデータ通信を行なう通信ラインとは別個に設けられている。
【００３６】
ホットライン通信は、コマンドデータ通信を行なう周期よりも短い第１の所定周期（本実施形態においては、たとえば、１ミリ秒）ごとに実行される通信である。本実施形態においては、フォーカスレンズ３２の駆動指令（フォーカスレンズ３２の駆動パルス）など、レンズ鏡筒３を制御するためのデータについては、ホットライン通信によりデータの送受信が実行される。
【００３７】
一方、コマンドデータ通信は、ホットライン通信を行なう周期よりも長い第２の所定周期（本実施形態においては、たとえば、１６ミリ秒）ごとに実行される通信である。本実施形態においては、図３に示すフォーカスレンズ３２の区分位置情報（分割区分数Ｎ、至近端の区分番号ＮＤ＿Ｎ、無限遠側の区分番号ＮＤ＿Ｆ、および現在レンズ位置の区分番号ＮＤ）など、レンズ鏡筒３の現在の状況を示すデータについては、コマンドデータ通信によりデータの送受信が実行される。なお、図３に示す対応通信情報は、カメラ１の電源がオンされた時、レンズ鏡筒３がカメラ本体２に装着された時、あるいは、シャッターレリーズボタンの半押し時に、レンズ鏡筒３からカメラ制御部２１に送信される。
【００３８】
カメラ本体２には、上記撮影光学系からの光束Ｌ１を受光する撮像素子２２が、撮影光学系の予定焦点面に設けられ、その前面にシャッター２３が設けられている。撮像素子２２はＣＣＤやＣＭＯＳなどのデバイスから構成され、受光した光信号を電気信号に変換してカメラ制御部２１に送出する。カメラ制御部２１に送出された撮影画像情報は、逐次、液晶駆動回路２５に送出されて観察光学系の電子ビューファインダ（ＥＶＦ）２６に表示されるとともに、操作部２８に備えられたレリーズボタン（不図示）が全押しされた場合には、その撮影画像情報が、記録媒体であるカメラメモリ２４に記録される。なお、カメラメモリ２４は着脱可能なカード型メモリや内蔵型メモリの何れをも用いることができる。撮像素子２２の構造の詳細は後述する。
【００３９】
カメラ本体２には、撮像素子２２で撮像される像を観察するための観察光学系が設けられている。本実施形態の観察光学系は、液晶表示素子からなる電子ビューファインダ（ＥＶＦ）２６と、これを駆動する液晶駆動回路２５と、接眼レンズ２７とを備えている。液晶駆動回路２５は、撮像素子２２で撮像され、カメラ制御部２１へ送出された撮影画像情報を読み込み、これに基づいて電子ビューファインダ２６を駆動する。これにより、ユーザは、接眼レンズ２７を通して現在の撮影画像を観察することができる。なお、光軸Ｌ２による上記観察光学系に代えて、または、これに加えて、液晶ディスプレイをカメラ本体２の背面等に設け、この液晶ディスプレイに撮影画像を表示させることもできる。
【００４０】
カメラ本体２にはカメラ制御部２１が設けられている。カメラ制御部２１は、カメラ通信部２９およびレンズ通信部３９を介して、レンズ制御部３７から、フォーカスレンズ３２の区分位置情報（すなわち、分割区分数Ｎ、至近端の区分番号ＮＤ＿Ｎ、無限遠側の区分番号ＮＤ＿Ｆ、現在レンズ位置の区分番号ＮＤ）および対応通信情報を含む各種レンズ情報を受信するとともに、レンズ制御部３７へデフォーカス量や絞り開口径などの情報を送信する。また、カメラ制御部２１は、上述したように撮像素子２２から画素出力を読み出すとともに、読み出した画素出力について、必要に応じて所定の情報処理を施すことにより画像情報を生成し、生成した画像情報を、電子ビューファインダ２６の液晶駆動回路２５やメモリ２４に出力する。また、カメラ制御部２１は、撮像素子２２からの画像情報の補正やレンズ鏡筒３の焦点調節状態、絞り調節状態などを検出するなど、カメラ１全体の制御を司る。
【００４１】
また、カメラ制御部２１は、上記に加えて、撮像素子２２から読み出した画素データに基づき、位相検出方式による撮影光学系の焦点状態の検出、およびコントラスト検出方式による撮影光学系の焦点状態の検出を行う。なお、具体的な焦点状態の検出方法については、後述する。
【００４２】
操作部２８は、シャッターレリーズボタンなどの撮影者がカメラ１の各種動作モードを設定するための入力スイッチであり、オートフォーカスモード／マニュアルフォーカスモードの切換が行えるようになっている。この操作部２８により設定された各種モードはカメラ制御部２１へ送出され、当該カメラ制御部２１によりカメラ１全体の動作が制御される。また、シャッターレリーズボタンは、ボタンの半押しでＯＮとなる第１スイッチＳＷ１と、ボタンの全押しでＯＮとなる第２スイッチＳＷ２とを含む。
【００４３】
次に、本実施形態に係る撮像素子２２について説明する。
【００４４】
図４は、撮像素子２２の撮像面を示す正面図、図５は、図４のV部分を拡大して焦点検出画素２２２ａ，２２２ｂの配列を模式的に示す正面図である。
【００４５】
本実施形態の撮像素子２２は、図５に示すように、複数の撮像画素２２１が、撮像面の平面上に二次元的に配列され、緑色の波長領域を透過するカラーフィルタを有する緑画素Ｇと、赤色の波長領域を透過するカラーフィルタを有する赤画素Ｒと、青色の波長領域を透過するカラーフィルタを有する青画素Ｂがいわゆるベイヤー配列（Bayer Arrangement）されたものである。すなわち、隣接する４つの画素群２２３（稠密正方格子配列）において一方の対角線上に２つの緑画素が配列され、他方の対角線上に赤画素と青画素が１つずつ配列されている。このベイヤー配列された画素群２２３を単位として、当該画素群２２３を撮像素子２２の撮像面に二次元状に繰り返し配列することで撮像素子２２が構成されている。
【００４６】
なお、単位画素群２２３の配列は、図示する稠密正方格子以外にも、たとえば稠密六方格子配列にすることもできる。また、カラーフィルタの構成や配列はこれに限定されることはなく、補色フィルタ（緑：Ｇ、イエロー：Ｙｅ、マゼンタ：Ｍｇ，シアン：Ｃｙ）の配列を採用することもできる。
【００４７】
図６は、撮像画素２２１の一つを拡大して示す正面図、図８は断面図である。一つの撮像画素２２１は、マイクロレンズ２２１１と、光電変換部２２１２と、図示しないカラーフィルタから構成され、図８の断面図に示すように、撮像素子２２の半導体回路基板２２１３の表面に光電変換部２２１２が造り込まれ、その表面にマイクロレンズ２２１１が形成されている。光電変換部２２１２は、マイクロレンズ２２１１により撮影光学系の射出瞳（たとえばＦ１．０）を通過する撮像光束を受光する形状とされ、撮像光束を受光する。
【００４８】
また、撮像素子２２の撮像面の中心、ならびに中心から左右対称位置の３箇所には、上述した撮像画素２２１に代えて焦点検出画素２２２ａ，２２２ｂが配列された焦点検出画素列２２ａ，２２ｂ，２２ｃが設けられている。そして、図５に示すように、一つの焦点検出画素列は、複数の焦点検出画素２２２ａおよび２２２ｂが、互いに隣接して交互に、横一列（２２ａ，２２ｃ，２２ｃ）に配列されて構成されている。本実施形態においては、焦点検出画素２２２ａおよび２２２ｂは、ベイヤー配列された撮像画素２２１の緑画素Ｇと青画素Ｂとの位置にギャップを設けることなく密に配列されている。
【００４９】
なお、図４に示す焦点検出画素列２２ａ〜２２ｃの位置は図示する位置にのみ限定されず、何れか一箇所、二箇所にすることもでき、また、四箇所以上の位置に配置することもできる。また、実際の焦点検出に際しては、複数配置された焦点検出画素列２２ａ〜２２ｃの中から、撮影者が操作部２８を手動操作することにより所望の焦点検出画素列を、焦点検出エリアとして選択することもできる。
【００５０】
図７（Ａ）は、焦点検出画素２２２ａの一つを拡大して示す正面図、図９（Ａ）は、焦点検出画素２２２ａの断面図である。また、図７（Ｂ）は、焦点検出画素２２２ｂの一つを拡大して示す正面図、図９（Ｂ）は、焦点検出画素２２２ｂの断面図である。焦点検出画素２２２ａは、図７（Ａ）に示すように、マイクロレンズ２２２１ａと、半円形状の光電変換部２２２２ａとから構成され、図９（Ａ）の断面図に示すように、撮像素子２２の半導体回路基板２２１３の表面に光電変換部２２２２ａが造り込まれ、その表面にマイクロレンズ２２２１ａが形成されている。また、焦点検出画素２２２ｂは、図７（Ｂ）に示すように、マイクロレンズ２２２１ｂと、光電変換部２２２２ｂとから構成され、図９（Ｂ）の断面図に示すように、撮像素子２２の半導体回路基板２２１３の表面に光電変換部２２２２ｂが造り込まれ、その表面にマイクロレンズ２２２１ｂが形成されている。そして、これら焦点検出画素２２２ａおよび２２２ｂは、図５に示すように、互いに隣接して交互に、横一列に配列されることにより、図４に示す焦点検出画素列２２ａ〜２２ｃを構成する。
【００５１】
なお、焦点検出画素２２２ａ，２２２ｂの光電変換部２２２２ａ，２２２２ｂは、マイクロレンズ２２２１ａ，２２２１ｂにより撮影光学系の射出瞳の所定の領域（たとえばＦ２．８）を通過する光束を受光するような形状とされる。また、焦点検出画素２２２ａ，２２２ｂにはカラーフィルタは設けられておらず、その分光特性は、光電変換を行うフォトダイオードの分光特性と、図示しない赤外カットフィルタの分光特性を総合したものとなっている。ただし、撮像画素２２１と同じカラーフィルタのうちの一つ、たとえば緑フィルタを備えるように構成することもできる。
【００５２】
また、図７（Ａ）、図７（Ｂ）に示す焦点検出画素２２２ａ，２２２ｂの光電変換部２２２２ａ，２２２２ｂは半円形状としたが、光電変換部２２２２ａ，２２２２ｂの形状はこれに限定されず、他の形状、たとえば、楕円形状、矩形状、多角形状とすることもできる。
【００５３】
ここで、上述した焦点検出画素２２２ａ，２２２ｂの画素出力に基づいて撮影光学系の焦点状態を検出する、いわゆる位相差検出方式について説明する。
【００５４】
図１０は、図５のX-X線に沿う断面図であり、撮影光軸Ｌ１近傍に配置され、互いに隣接する焦点検出画素２２２ａ−１，２２２ｂ−１，２２２ａ−２，２２２ｂ−２が、射出瞳３５０の測距瞳３５１，３５２から照射される光束ＡＢ１−１，ＡＢ２−１，ＡＢ１−２，ＡＢ２−２をそれぞれ受光していることを示している。なお、図１０においては、複数の焦点検出画素２２２ａ，２２２ｂのうち、撮影光軸Ｌ１近傍に位置するもののみを例示して示したが、図１０に示す焦点検出画素以外のその他の焦点検出画素についても、同様に、一対の測距瞳３５１，３５２から照射される光束をそれぞれ受光するように構成されている。
【００５５】
ここで、射出瞳３５０とは、撮影光学系の予定焦点面に配置された焦点検出画素２２２ａ，２２２ｂのマイクロレンズ２２２１ａ，２２２１ｂの前方の距離Ｄの位置に設定された像である。距離Ｄは、マイクロレンズの曲率、屈折率、マイクロレンズと光電変換部との距離などに応じて一義的に決まる値であって、この距離Ｄを測距瞳距離と称する。また、測距瞳３５１，３５２とは、焦点検出画素２２２ａ，２２２ｂのマイクロレンズ２２２１ａ，２２２１ｂにより、それぞれ投影された光電変換部２２２２ａ,２２２２ｂの像をいう。
【００５６】
なお、図１０において焦点検出画素２２２ａ−１，２２２ｂ−１，２２２ａ−２，２２２ｂ−２の配列方向は一対の測距瞳３５１，３５２の並び方向と一致している。
【００５７】
また、図１０に示すように、焦点検出画素２２２ａ−１，２２２ｂ−１，２２２ａ−２，２２２ｂ−２のマイクロレンズ２２２１ａ−１，２２２１ｂ−１，２２２１ａ−２，２２２１ｂ−２は、撮影光学系の予定焦点面近傍に配置されている。そして、マイクロレンズ２２２１ａ−１，２２２１ｂ−１，２２２１ａ−２，２２２１ｂ−２の背後に配置された各光電変換部２２２２ａ−１，２２２２ｂ−１，２２２２ａ−２，２２２２ｂ−２の形状が、各マイクロレンズ２２２１ａ−１，２２２１ｂ−１，２２２１ａ−２，２２２１ｂ−２から測距距離Ｄだけ離れた射出瞳３５０上に投影され、その投影形状は測距瞳３５１，３５２を形成する。
【００５８】
すなわち、測距距離Ｄにある射出瞳３５０上で、各焦点検出画素の光電変換部の投影形状（測距瞳３５１，３５２）が一致するように、各焦点検出画素におけるマイクロレンズと光電変換部の相対的位置関係が定められ、それにより各焦点検出画素における光電変換部の投影方向が決定されている。
【００５９】
図１０に示すように、焦点検出画素２２２ａ−１の光電変換部２２２２ａ−１は、測距瞳３５１を通過し、マイクロレンズ２２２１ａ−１に向う光束ＡＢ１−１によりマイクロレンズ２２２１ａ−１上に形成される像の強度に対応した信号を出力する。同様に、焦点検出画素２２２ａ−２の光電変換部２２２２ａ−２は測距瞳３５１を通過し、マイクロレンズ２２２１ａ−２に向う光束ＡＢ１−２によりマイクロレンズ２２２１ａ−２上に形成される像の強度に対応した信号を出力する。
【００６０】
また、焦点検出画素２２２ｂ−１の光電変換部２２２２ｂ−１は測距瞳３５２を通過し、マイクロレンズ２２２１ｂ−１に向う光束ＡＢ２−１によりマイクロレンズ２２２１ｂ−１上に形成される像の強度に対応した信号を出力する。同様に、焦点検出画素２２２ｂ−２の光電変換部２２２２ｂ−２は測距瞳３５２を通過し、マイクロレンズ２２２１ｂ−２に向う光束ＡＢ２−２によりマイクロレンズ２２２１ｂ−２上に形成される像の強度に対応した信号を出力する。
【００６１】
そして、上述した２種類の焦点検出画素２２２ａ，２２２ｂを、図５に示すように直線状に複数配置し、各焦点検出画素２２２ａ，２２２ｂの光電変換部２２２２ａ，２２２２ｂの出力を、測距瞳３５１と測距瞳３５２とのそれぞれに対応した出力グループにまとめることにより、測距瞳３５１と測距瞳３５２とのそれぞれを通過する焦点検出光束が焦点検出画素列上に形成する一対の像の強度分布に関するデータが得られる。そして、この強度分布データに対し、相関演算処理または位相差検出処理などの像ズレ検出演算処理を施すことにより、いわゆる位相差検出方式による像ズレ量を検出することができる。
【００６２】
そして、得られた像ズレ量に一対の測距瞳の重心間隔に応じた変換演算を施すことにより、予定焦点面に対する現在の焦点面（予定焦点面上のマイクロレンズアレイの位置に対応した焦点検出エリアにおける焦点面をいう。）の偏差、すなわちデフォーカス量を求めることができる。
【００６３】
なお、これら位相差検出方式による像ズレ量の演算と、これに基づくデフォーカス量の演算は、カメラ制御部２１により実行される。
【００６４】
また、カメラ制御部２１は、撮像素子２２の撮像画素２２１の出力を読み出し、読み出した画素出力に基づき、焦点評価値の演算を行う。この焦点評価値は、たとえば撮像素子２２の撮像画素２２１からの画像出力の高周波成分を、高周波透過フィルタを用いて抽出することで求めることができる。また、遮断周波数が異なる２つの高周波透過フィルタを用いて高周波成分を抽出することでも求めることができる。
【００６５】
そして、カメラ制御部２１は、レンズ制御部３７に駆動信号を送出してフォーカスレンズ３２を所定のサンプリング間隔(距離)で駆動させ、それぞれの位置における焦点評価値を求め、該焦点評価値が最大となるフォーカスレンズ３２の位置を合焦位置として求める、コントラスト検出方式による焦点検出を実行する。なお、この合焦位置は、たとえば、フォーカスレンズ３２を駆動させながら焦点評価値を算出した場合に、焦点評価値が、２回上昇した後、さらに、２回下降して推移した場合に、これらの焦点評価値を用いて、内挿法などの演算を行うことで求めることができる。
【００６６】
次に、図１１および図１２を参照して、本実施形態に係るカメラ１の動作例を説明する。図１１および図１２は、カメラ１の動作例を示すフローチャートである。
【００６７】
まず、ステップＳ１０１では、カメラ制御部２１により、焦点評価値の算出処理が開始される。本実施形態では、焦点評価値の算出処理は、撮像素子２２の撮像画素２２１の画素出力を読み出し、読み出した画素出力の高周波成分を、高周波透過フィルタを用いて抽出し、これを積算することにより行われる。また、撮影者の手動操作により特定の焦点検出位置が選択されているときには、選択された焦点検出位置に対応する撮像画素２２１の画素出力のみを読み出して、焦点評価値を算出するような構成としてもよい。なお、焦点評価値の算出処理は、所定の間隔で繰り返し実行される。
【００６８】
ステップＳ１０２では、カメラ制御部２１により、シャッターレリーズボタンの半押し（第１スイッチＳＷ１のオン）がされたか否かの判断が行われる。第１スイッチＳＷ１がオンであると判断された場合はステップＳ１０３へ進み、第１スイッチＳＷ１がオンではないと判断された場合は、第１スイッチＳＷ１がオンされるまで、ステップＳ１０２で待機する。
【００６９】
続くステップＳ１０３では、カメラ制御部２１により、レンズ鏡筒３から実際に送信されたレンズ情報の受信が行われ、レンズ鏡筒３から受信したレンズ情報が、受信情報として取得される。たとえば、レンズ鏡筒３が図３に示すレンズ鏡筒Ａであり、図２に示す場面例のように、フォーカスレンズ３２が区分番号Ｎ＝３の位置に存在する場合、カメラ制御部２１は、現在レンズ位置の区分番号Ｎを３、分割区分数Ｎを１２、無限遠側の区分番号ＮＤ＿Ｆを１、至近端の区分番号ＮＤ＿Ｎを１２とする区分位置情報と、レンズ鏡筒３が対応する通信態様が区分位置情報を含むレンズ情報をカメラ本体２に送信する「第２通信態様」であることを示す対応通信情報と、レンズ鏡筒３のレンズ名、焦点深度、およびフォーカスレンズ３２の最大駆動速度などを含む情報とを、受信情報として取得する。
また、レンズ鏡筒３が図３に示すレンズ鏡筒Ｂである場合、カメラ制御部２１はレンズ制御部３７から、現在レンズ位置の区分番号ＮＤ（６）と、対応通信情報（第１通信態様）と、レンズ鏡筒３のレンズ名等の情報とを、受信情報として取得する。このため、カメラ制御部２１は、レンズ鏡筒３が「第２通信態様」の通信に対応していない第１通信態様のレンズ鏡筒であると判断する。
【００７０】
ステップＳ１０４では、カメラ制御部２１により、ステップＳ１０３で受信した受信情報のうち対応通信情報に基づいて、レンズ鏡筒３が「第２通信態様」の通信に対応しているか否かの判断が行われる。そして、レンズ鏡筒３が「第２通信態様」の通信に対応しており、区分位置情報を含むレンズ情報がレンズ鏡筒３からカメラ本体２に送信されると判断された場合には、区分位置情報に基づいてフォーカスレンズ３２を駆動させるために、図１２に示すステップＳ１１７に進む。一方、レンズ鏡筒３が「第２通信態様」の通信に対応しておらず、レンズ鏡筒３が区分位置情報を含まないレンズ情報をカメラ本体２に送信するものと判断された場合には、区分位置情報を用いずに、フォーカスレンズ３２を駆動させるために、ステップＳ１０５に進む。なお、図３に示すレンズ鏡筒Ｃのように、レンズ鏡筒３に区分位置情報や対応通信情報が記憶されておらず、レンズ鏡筒３からカメラ本体２に対して、区分位置情報や対応通信情報が送信されない場合には、カメラ制御部２１は、レンズ鏡筒３の通信態様を、区分位置情報を含まないレンズ情報をカメラ本体２に送信する「第１通信態様」であると判断することができる。
また、レンズ鏡筒３が図３に示すレンズ鏡筒Ｄである場合、カメラ制御部２１はレンズ制御部３７から、現在レンズ位置の区分番号ＮＤ（６）と、分割区分数Ｎ（２０）と、無限遠側の区分番号ＮＤ＿Ｆ（１）と、至近端の区分番号ＮＤ＿Ｎ（２０）と、対応通信情報（第１通信態様）と、レンズ鏡筒３のレンズ名等の情報とを、受信情報として取得する。この場合、対応通信情報が、区分位置情報を含まないレンズ情報をカメラ本体２に送信する「第１通信態様」であるにもかかわず、区分位置情報が送信されているため、カメラ制御部２１は、レンズ鏡筒３から受信したデータに不具合がある（通信に不具合がある）と判断し、例えば、撮影を禁止することができる。また、このような場合に、カメラ制御部２１は、レンズ鏡筒３に対する電源の供給を制限することでＡＦを禁止し、マニュアルフォーカスのみが可能な状態としてもよい。
さらに、レンズ鏡筒３が図３に示すレンズ鏡筒Ｅである場合、対応通信情報が、区分位置情報を含むレンズ情報をカメラ本体２に送信する「第２通信態様」であるにもかかわず、区分位置情報が送信されていないため、カメラ制御部２１は、レンズ鏡筒３から受信したデータに不具合がある（通信に不具合がある）と判断し、撮影の禁止や、マニュアルフォーカスのみが可能な状態にすることができる。
【００７１】
ステップＳ１０５では、カメラ制御部２１により、フォーカスレンズ３２の位置を正確に特定するために、フォーカスレンズ３２が至近端または無限遠端まで駆動される。ここで、図１３は、レンズ鏡筒３が、区分位置情報を含むレンズ情報をカメラ本体２に送信する「第２通信態様」の通信に対応していない場合のカメラ１の動作を示す図である。なお、図１３に示す例では、スキャン動作開始時に、フォーカスレンズ３２が図１３に示すＰ０に位置している場面を例示している。たとえば、レンズ鏡筒３が「第２通信態様」に対応していない場合、区分位置情報を用いることなく、フォーカスレンズ３２のレンズ位置を適切に把握するために、カメラ制御部２１は、図１３に示すように、Ｐ０から、無限遠端側または至近端側のうち一方の端部（図１３に示す例では無限遠端）まで、フォーカスレンズ３２を駆動させる（ステップＳ１０５）。
【００７２】
そして、ステップＳ１０６では、カメラ制御部２１により、第１スキャン動作が実行される。第１スキャン動作とは、所定のスキャン範囲において、フォーカスレンズ３２を、第１スキャン速度Ｖ１で駆動させながら、複数の像面において焦点評価値を取得し、取得した焦点評価値に基づいて、合焦位置の検出を行う一連の処理をいう。第１スキャン速度Ｖ１とは、たとえば、合焦位置を適切に検出することが可能なフォーカスレンズ３２の駆動速度であり、像面移動速度に基づく速度とすることができる。たとえば、合焦位置を検出できる焦点評価値の取得間隔が像面移動量で２００μｍ〜３００μｍ程度であり、焦点評価値を算出するための時間間隔が１／６０秒である場合に、カメラ制御部２１は、第１スキャン動作の第１スキャン速度Ｖ１を、３００×６０＝１８０００（μｍ／秒）＝１８（ｍｍ／秒）として算出することができる。このように算出された第１スキャン速度Ｖ１は、レンズ制御部３７を介して、フォーカスレンズ駆動モータ３５に送信されることにより、第１スキャン動作において第１スキャン速度Ｖ１でフォーカスレンズ３２が駆動されることとなる。なお、絞り３４を絞ると焦点深度は深くなるため、合焦位置を検出できる焦点評価値の取得間隔が大きくなる場合があり、この場合、第１スキャン速度Ｖ１を、さらに速い速度として算出することができる。
【００７３】
ステップＳ１０７では、カメラ制御部２１により、第１スキャン動作において合焦位置が検出されたか否かの判断が行われる。具体的には、カメラ制御部２１は、第１スキャン動作において焦点評価値のピークが検出された場合には、検出された焦点評価値のピークの位置を合焦位置と判断し、合焦位置が検出されたと判断する。ステップＳ１０７において、合焦位置が検出されたと判断された場合は、ステップＳ１０８に進み、検出された合焦位置にフォーカスレンズ３２を駆動させる合焦駆動が行われる。一方、ステップＳ１０７において、合焦位置が検出されなかった場合は、ステップＳ１０９に進む。
【００７４】
ステップＳ１０９では、カメラ制御部２１により、第１スキャン動作のスキャン範囲全域（フォーカスレンズ３２の駆動可能範囲の一部）において、第１スキャン動作が実行されたか否かの判断が行われる。第１スキャン動作のスキャン範囲の全域において、第１スキャン動作が実行された場合は、第１スキャン動作により合焦位置が検出できなかったものと判断され、ステップＳ１１０に進む。一方、第１スキャン動作のスキャン範囲の全域において、第１スキャン動作が実行されていない場合には、ステップＳ１０６に戻り、引き続き、第１スキャン動作が完了していないスキャン範囲において、合焦位置の検出が行われる。
【００７５】
たとえば、図１３に示す例において、カメラ制御部２１は、無限遠端から、至近端側に向かって、フォーカスレンズ３２を第１スキャン速度Ｖ１で駆動させながら、焦点検出を行う第１スキャン動作を実行する（ステップＳ１０６）。しかしながら、図１３に示す例では、スキャン動作を開始したＰ０の付近には焦点評価値のピークが存在しないため、第１スキャン動作のスキャン範囲全域においてスキャン動作を実行しても、合焦位置は検出されず（ステップＳ１０７＝Ｎｏ、ステップＳ１０９＝Ｙｅｓ）、ステップＳ１１０に進むこととなる。
【００７６】
ステップＳ１１０では、カメラ制御部２１により、第２スキャン動作が実行される。第２スキャン動作とは、第１スキャン範囲において第１スキャン動作で合焦位置を検出できない場合に、第１スキャン範囲よりも広い第２スキャン範囲を速くスキャンするために、第１スキャン動作に引き続いて行われるものであり、第２スキャン範囲において、フォーカスレンズ３２を、第１スキャン速度Ｖ１よりも速い第２スキャン速度Ｖ２で駆動させながら、複数の像面において焦点評価値を取得し、取得した焦点評価値に基づいて、焦点評価値のピークの検出を行う処理である。第２スキャン速度Ｖ２は、焦点評価値のピークの存在を検出できる速度とすればよく、必ずしも、合焦位置を検出できる速度とする必要はない。たとえば、カメラ制御部２１は、第２スキャン速度Ｖ２を、５０〜１００（ｍｍ／秒）として算出することができる。
【００７７】
ステップＳ１１１では、カメラ制御部２１により、第２スキャン動作において焦点評価値のピークが検出されたか否か判断される。焦点評価値のピークが検出されたと判断された場合は、第２スキャン動作に続いて、第３スキャン動作を実行するため、ステップＳ１１３に進み、一方、焦点評価値のピークが検出されないと判断された場合は、ステップＳ１１２に進む。
【００７８】
ステップＳ１１２では、第２スキャン範囲の全域において第２スキャン動作が実行されたか否か判断される。第２スキャン範囲の全域において第２スキャン動作が実行された場合は、第２スキャン動作により焦点評価値のピークが検出できなかったものとして、ステップＳ１１６に進む。一方、第２スキャン範囲の全域において第２スキャン動作が実行されていない場合は、ステップＳ１１０に戻り、引き続き、焦点評価値の検出が行われていない第２スキャン範囲において、第２スキャン動作が実行される。
【００７９】
たとえば、図１３に示す例では、第１スキャン動作において光学系の焦点状態が検出されなかったため、第１スキャン動作に続いて第２スキャン動作が開始される（ステップＳ１１０）。そして、図１３に示す例では、第２スキャン動作において、フォーカスレンズ３２を第２スキャン速度Ｖ２で駆動させながら焦点検出を行い、フォーカスレンズ３２を図１３に示すＰ１の位置に移動させた時点で、焦点評価値のピーク位置が検出され（ステップＳ１１１＝Ｙｅｓ）、これにより、ステップＳ１１３に進む。
【００８０】
ステップＳ１１３では、カメラ制御部２１により、第３スキャン動作が実行される。第３スキャン動作とは、第２スキャン動作で焦点評価値のピークが検出された場合に、第２スキャン動作で検出された焦点評価値のピーク位置の周辺において合焦位置を検出するため、第２スキャン動作に引き続いて行わるものであり、後述する第３スキャン速度Ｖ３で、フォーカスレンズ３２を駆動させながら、複数の像面において焦点評価値を取得し、取得した焦点評価値に基づいて、焦点評価値のピークの検出を行う処理である。また、第３スキャン速度Ｖ３は、第１スキャン速度Ｖ１と同様に、合焦位置を検出できる速度とされる。
【００８１】
次いで、ステップＳ１１４では、カメラ制御部２１により、第３スキャン範囲において、第３スキャン動作により、合焦位置が検出されたか否か判断される。具体的には、カメラ制御部２１は、第３スキャン動作において焦点評価値のピークを検出できた場合には、検出された焦点評価値のピークを合焦位置と判断し、合焦位置が検出されたと判断する。第３スキャン動作により合焦位置が検出されたと判断された場合は、ステップＳ１０８に進み、検出された合焦位置にフォーカスレンズ３２を駆動させる合焦駆動が行われる。一方、第３スキャン動作により合焦位置が検出されないと判断された場合は、ステップＳ１１５に進む。
【００８２】
ステップＳ１１５では、カメラ制御部２１により、第３スキャン範囲の全域において第３スキャン動作が実行されたか否か判断される。第３スキャン範囲の全域において第３スキャン動作が実行された場合は、第３スキャン動作により合焦位置が検出できなかったものとして、ステップＳ１１６に進む。一方、第３スキャン範囲の全域において第３スキャン動作が実行されていない場合は、ステップＳ１１３に戻り、引き続き、第３スキャン動作が実行されていない第３スキャン範囲において、合焦位置の検出が行われる。
【００８３】
たとえば、図１３に示す例において、カメラ制御部２１は、第２スキャン動作において、フォーカスレンズ３２を図１３に示すＰ１の位置に移動させた時点で、焦点評価値のピーク位置を検出し（ステップＳ１１１＝Ｙｅｓ）、第２スキャン動作に続いて、第３スキャン動作を開始する（ステップＳ１１３）。そして、カメラ制御部２１は、第３スキャン動作において、焦点評価値のピーク位置（図１３中、Ｐ２の位置）を合焦位置として検出し（ステップＳ１１４＝Ｙｅｓ）、フォーカスレンズ３２を合焦位置（図１３中、Ｐ２の位置）まで駆動するための合焦駆動（ステップＳ１０８）を実行する。
【００８４】
なお、ステップＳ１１２で第２スキャン動作により焦点評価値のピークが検出されなかった場合、または、ステップＳ１１５で第３スキャン動作により合焦位置が検出されなかった場合は、ステップＳ１１６に進む。ステップＳ１１６では、カメラ制御部２１により、フォーカスレンズ３２が所定の位置に駆動されるとともに、合焦位置を検出できなかった旨の表示が、たとえば、電子ビューファインダー２６を介して表示される。なお、ステップＳ１１６において、フォーカスレンズ３２が駆動する所定の位置は、特に限定されず、たとえば、予め決められた位置でもよいし、焦点評価値が最大となる位置でもよいし、或いは、現在の位置のままとしてもよい。
【００８５】
一方、ステップＳ１０４で、レンズ鏡筒３が、区分位置情報を含むレンズ情報をカメラ本体に送信する「第２通信態様」の通信に対応している場合、図１２に示すステップＳ１１７に進み、ステップＳ１１７〜Ｓ１２６において、フォーカスレンズ３２の区分位置情報に基づいて、光学系の焦点調節が行われる。
【００８６】
まず、ステップＳ１１７では、カメラ制御部２１により、カメラ鏡筒３から受信したフォーカスレンズ３２の区分位置情報に基づいて、フォーカスレンズ３２が、至近端から所定距離以内の範囲である至近端領域に位置するか否か、および、無限遠端から所定距離以内の範囲である無限遠端領域に位置するか否かの判定が行われる。
【００８７】
ここで、図１４は、レンズ鏡筒３が、区分位置情報を含むレンズ情報をカメラ本体２に送信する「第２通信態様」の通信に対応している場合の焦点評価値とフォーカスレンズ位置との関係の一例を示す図である。本実施形態において、カメラ制御部２１は、カメラ鏡筒３から受信した区分位置情報に基づいて、至近端から所定距離以内の範囲を至近端領域に設定し、また、無限遠端から所定距離以内の範囲を無限遠端領域に設定する。たとえば、図１４に示す例では、カメラ制御部２１により、第１の区分Ｄ１〜第３の区分Ｄ３が、無限遠端から所定距離内の範囲である無限遠端領域として設定され、第１０の区分Ｄ１０〜第１２の区分Ｄ１２が、至近端端から所定距離内の範囲である至近端領域として設定される。なお、図１４に示す例では、スキャン動作開始時に、フォーカスレンズ３２が図１４に示すＰ０の位置、すなわち第２の区分Ｄ２に位置している。
【００８８】
たとえば、図１４に示すように、フォーカスレンズ３２の現在位置する区分が第１の区分Ｄ１〜第３の区分Ｄ３である場合、カメラ制御部２１は、フォーカスレンズ３２が無限遠端領域に位置するものと判定する。また、図１４に示す例において、フォーカスレンズ３２の現在位置する区分が、たとえば第１０の区分Ｄ１０〜第１２の区分Ｄ１２である場合には、カメラ制御部２１は、フォーカスレンズ３２は至近端領域に位置すると判定する。一方、図１４に示す例において、フォーカスレンズ３２が現在位置する区分が、たとえば第４の区分Ｄ４〜第９の区分Ｄ９である場合には、カメラ制御部２１は、フォーカスレンズ３２は、至近端領域および無限遠端領域のいずれにも位置していないものと判定する。
【００８９】
ステップＳ１１７において、フォーカスレンズ３２が、至近端領域または無限遠端領域に位置すると判定された場合は、ステップＳ１１８に進み、一方、フォーカスレンズ３２が、至近端領域および無限遠端領域のいずれにも位置していないと判定された場合には、ステップＳ１２１に進む。
【００９０】
ステップ１１８では、カメラ制御部２１により、コントラスト検出方式により算出された焦点評価値が、所定値ｓ以上であるか否かの判断が行われる。算出された焦点評価値が所定値ｓ以上である場合には、ステップＳ１１９に進み、後述するスキャン動作において、フォーカスレンズ３２を駆動させるスキャン方向が、至近端および無限遠端のうち、フォーカスレンズ３２の現在位置に近い方の端部が存在する方向に設定される。一方、ステップＳ１１８で、焦点評価値が所定値ｓ未満であると判断された場合には、ステップＳ１２０に進み、スキャン動作におけるスキャン方向が、至近端および無限遠端のうち、フォーカスレンズ３２の現在位置から遠い方の端部が存在する方向に設定される。
【００９１】
たとえば、図１４に示す例では、フォーカスレンズ３２の現在位置する区分が第２の区分Ｄ２であるため、カメラ制御部２１により、フォーカスレンズ３２が無限遠端領域に位置すると判定されるとともに（ステップＳ１１７＝Ｙｅｓ）、焦点評価値が所定値ｓ未満の値で算出されるため（ステップＳ１１８＝Ｎｏ）、スキャン動作におけるスキャン方向は、至近端および無限遠端のうち、フォーカスレンズ３２の現在位置から遠い方の端部が存在する方向、すなわち、至近端が存在する方向に設定される（ステップＳ１２０）。また、図１４に示す例において、フォーカスレンズ３２が現在位置する区分が、たとえば第１０の区分Ｄ１０である場合には、カメラ制御部２１により、フォーカスレンズ３２が至近端領域に位置すると判定され（ステップＳ１１７＝Ｙｅｓ）、焦点評価値が所定値ｓ以上の値で算出されるため（ステップＳ１１８＝Ｙｅｓ）、フォーカスレンズ３２のスキャン方向は、至近端および無限遠端のうち、フォーカスレンズ３２の現在位置から近い方の端部が存在する方向、すなわち、至近端が存在する方向に設定される（ステップＳ１１９）。
【００９２】
また、ステップＳ１１７で、フォーカスレンズ３２が至近端領域および無限遠端領域のいずれの領域にも位置していないと判断された場合は、ステップＳ１２１に進む。ステップＳ１２１では、カメラ制御部２１により、スキャン動作におけるスキャン方向が、予め定められた所定の方向に設定される。たとえば、図１４に示す例において、フォーカスレンズ３２が現在位置する区分が第４の区分Ｄ４〜第９の区分Ｄ９である場合は、カメラ制御部２１は、フォーカスレンズ３２が至近端領域および無限遠端領域のいずれの領域にも位置していないと判定する。この場合、ステップＳ１２１において、カメラ制御部２１は、たとえば、風景を撮影する風景撮影シーンが選択されている場合には、スキャン動作におけるスキャン方向を、風景撮影シーンに応じて予め決められた無限遠端が存在する方向に設定することができ、また、接写撮影シーンが選択されている場合には、スキャン動作におけるスキャン方向を、接写撮影シーンに応じて予め決められた至近端が存在する方向に設定することができる。
【００９３】
そして、ステップＳ１２２では、カメラ制御部２１により、スキャン動作が開始される。具体的には、カメラ制御部２１は、ステップＳ１１９〜Ｓ１２１で設定したスキャン方向にフォーカスレンズ３２をスキャン駆動させならが、光学系の焦点状態を検出する。
【００９４】
そして、ステップＳ１２３では、カメラ制御部２１により、スキャン動作を行なった結果、合焦位置の検出ができたか否かの判定が行なわれる。合焦位置の検出ができた場合には、ステップＳ１２６に進み、一方、合焦位置の検出ができなかった場合には、ステップＳ１２４に進む。
【００９５】
ステップＳ１２４では、カメラ制御部２１により、スキャン動作を、フォーカスレンズ３２の駆動可能範囲の全域について行なったか否かの判定が行なわれる。フォーカスレンズ３２の駆動可能範囲の全域についてスキャン動作を行なっていない場合には、ステップＳ１２３に戻り、ステップＳ１２３，Ｓ１２４を繰り返すことにより、スキャン動作、すなわち、フォーカスレンズ３２をスキャン駆動させながら、コントラスト検出方式による合焦位置の検出を所定の間隔で実行する動作を継続して行なう。一方、フォーカスレンズ３２の駆動可能範囲の全域について、スキャン動作の実行を完了している場合には、ステップＳ１２５に進む。
【００９６】
そして、スキャン動作を実行した結果、ステップＳ１２３において、コントラスト検出方式により、合焦位置が検出できたと判定された場合には、ステップＳ１２６に進み、カメラ制御部２１により、スキャン動作の停止処理が行なわれた後、コントラスト検出方式により検出された合焦位置まで、フォーカスレンズ３２を駆動させる合焦駆動が行なわれる。
【００９７】
一方、スキャン動作を行なった結果、焦点検出を行うことができなかった場合は、ステップＳ１２５に進み、スキャン動作の終了処理が行なわれた後に、合焦不能表示が行なわれる。なお、合焦不能表示は、たとえば、電子ビューファインダ２６により行われる。
【００９８】
たとえば、図１４に示す例では、フォーカスレンズ３２が無限遠端領域内の第２の区分Ｄ２に位置しており、所定値ｓ未満の焦点評価値が算出されるため、スキャン動作におけるスキャン方向は、至近端および無限遠端のうちフォーカスレンズ３２の現在位置から遠い方の端部が存在する方向、すなわち、至近端に向かう方向に設定される（ステップＳ１２０）。これにより、図１４に示すように、カメラ制御部２１は、フォーカスレンズ３２を現在のレンズ位置（図１４中、Ｐ０の位置）から至近端に向かってスキャン駆動させながら、コントラスト検出方式により焦点検出を行うスキャン動作を実行する（ステップＳ１２２）。なお、本実施形態では、図１４に示すように、フォーカスレンズ３２を遠い方の端部に向けて駆動させる場合には、フォーカスレンズ３２の現在位置の近傍に合焦位置が存在しないものと予測して、上述した第２スキャン動作と同様に、フォーカスレンズ３２を、焦点評価値のピークの存在を検出できる速度（第２スキャン速度Ｖ２）で駆動（第２スキャン駆動）させながら、焦点検出を行う。このように、レンズ鏡筒３が、区分位置情報を含むレンズ情報をカメラ本体２に送信する「第２通信態様」の通信に対応している場合には、第１スキャン駆動が行われないため、レンズ鏡筒３が「第２通信態様」の通信に対応していない場合と比べて、合焦位置の検出に要する時間を短くすることができる。
【００９９】
また、図１４に示す例において、フォーカスレンズ３２が、たとえば至近端領域内の第１０の区分Ｄ１０に位置する場合には、所定値ｓ以上の焦点評価値が算出されるため、スキャン動作におけるスキャン方向は、至近端および無限遠端のうち、フォーカスレンズ３２の現在位置に近い方の端部が存在する方向、すなわち、至近端に向かう方向に設定される（ステップＳ１１９）。この場合も、カメラ制御部２１は、フォーカスレンズ３２を現在のレンズ位置から至近端に向かってスキャン駆動させながら、コントラスト検出方式による焦点検出を行うスキャン動作を実行する。なお、本実施形態では、フォーカスレンズ３２を近い方の端部に向けて駆動させる場合には、フォーカスレンズ３２の現在位置の近傍に合焦位置が存在するものと予測し、上述した第１スキャン動作と同様に、焦点評価値のピーク位置（合焦位置）を検出できる速度（第１スキャン速度Ｖ１）で駆動（第１スキャン駆動）させて、焦点検出を行う。フォーカスレンズ３２を第１スキャン速度Ｖ１で駆動させて合焦位置の検出を行った場合には、フォーカスレンズ３２を第２スキャン速度Ｖ２で駆動させて合焦位置の検出を行った場合と異なり、第３スキャン動作を行う必要がないため、合焦位置の検出に要する時間をより短縮することができる。
【０１００】
なお、図１４に示すように、フォーカスレンズ３２を第２スキャン速度Ｖ２で駆動（第２スキャン駆動）させて合焦位置の検出を行った場合には、上述した第１スキャン動作と同様に、第２スキャン速度Ｖ２でのスキャン駆動に続いて、フォーカスレンズ３２を第３スキャン速度Ｖ３で駆動させて合焦位置を検出するスキャン動作が行われる。すなわち、カメラ制御部２１は、図１４に示すように、フォーカスレンズ３２を、焦点評価値のピークの存在を検出できる速度で駆動（第２スキャン駆動）させながら、焦点検出を行うスキャン動作を行った結果、Ｐ１で焦点評価値のピーク位置を検出した場合には、フォーカスレンズ３２を第３スキャン速度Ｖ３で駆動（第３スキャン駆動）させて、合焦位置を検出するスキャン動作を行う。
【０１０１】
そして、図１４に示す例では、フォーカスレンズ３２を第３スキャン速度Ｖ３で駆動（第３スキャン駆動）させて、合焦位置を検出するスキャン動作を行った結果、図１４のＰ２の位置で合焦位置が検出され（ステップＳ１２０＝Ｙｅｓ）、フォーカスレンズ３２を合焦位置（図１４に示すＰ２の位置）に駆動させる合焦駆動が行われる（ステップＳ１２３）。
【０１０２】
以上のように、本実施形態では、レンズ鏡筒３が、区分位置情報を含むレンズ情報をカメラ本体２に送信する「第２通信態様」の通信に対応しているか否か判断し、レンズ鏡筒が「第２通信態様」の通信に対応していない判断された場合には、区分位置情報を用いて焦点調節を適切に行えないものと判断し、区分位置情報を用いないで光学系の焦点調節を行う。具体的には、フォーカスレンズ３２を無限遠端または至近端まで駆動させた後に、フォーカスレンズ３２を駆動させながら、光学系の焦点検出を行うスキャン動作を行う。これにより、本実施形態では、レンズ鏡筒３から受信した区分位置情報に基づいて、フォーカスレンズ３２の位置を適切に把握できない場合でも、光学系の焦点調節を適切に行うことができる。
【０１０３】
また、本実施形態において、レンズ鏡筒３が、区分位置情報を含むレンズ情報をカメラ本体に送信する「第２通信態様」の通信に対応している場合には、第２通信態様の通信により受信した区分位置情報を用いて光学系の焦点調節を行う。具体的には、カメラ制御部２１は、フォーカスレンズ３２の区分位置情報に基づいて、レンズ駆動範囲内におけるフォーカスレンズ３２の絶対的な位置を検出し、フォーカスレンズ３２が無限遠端領域または至近端領域に存在するか否かを判断することで、図１４に示すように、フォーカスレンズ３２の合焦位置が存在する方向に、フォーカスレンズ３２を適切に駆動させることで、焦点調節に要する時間を短縮することができる。
【０１０４】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１０５】
たとえば、上述した実施形態では、レンズ鏡筒３から送信された対応通信情報に基づいて、レンズ鏡筒３が、区分位置情報を含むレンズ情報をカメラ本体２に送信する「第２通信態様」に対応しているか否かを判断することで、焦点検出時におけるフォーカスレンズ３２の駆動態様を異ならせる構成を例示したが、この構成に限定されず、たとえば、カメラ本体２のメモリ２１１に、レンズ鏡筒３から受信可能な区分位置情報を予め記憶しておき、レンズ鏡筒３から実際に送信される区分位置情報と、カメラ本体２に記憶している区分位置情報とが合致するか否かを判断することで、焦点検出時におけるフォーカスレンズ３２の駆動態様を異ならせる構成としてもよい。
【０１０６】
この場合、カメラ制御部２１は、たとえば、カメラ本体２のメモリ２１１に記憶されている、レンズ鏡筒３の分割区分数Ｎ、至近端の区分番号ＮＤ＿Ｎ、および無限遠側の区分番号ＮＤ＿Ｆと、レンズ鏡筒３から実際に受信したレンズ鏡筒３の分割区分数Ｎ、至近端の区分番号ＮＤ＿Ｎ、および無限遠側の区分番号ＮＤ＿Ｆとがそれぞれ合致するか否かを判断することで、カメラ本体２に記憶されている区分位置情報と、レンズ鏡筒３から送信される区分位置情報とが合致するか否かを判断する。そして、カメラ制御部２１は、カメラ本体２に記憶されている区分位置情報と、レンズ鏡筒３から送信される区分位置情報とが合致しない場合には、受信した分割区分数Ｎ、至近端の区分番号ＮＤ＿Ｎ、および無限遠側の区分番号ＮＤ＿Ｆと、カメラ本体２が有するレンズ鏡筒３の分割区分数Ｎ、至近端の区分番号ＮＤ＿Ｎ、および無限遠側の区分番号ＮＤ＿Ｆとが異なるため、受信した区分位置情報を用いて焦点調節を適切に行えないものと判断し、図１３に示すように、区分位置情報を用いずに焦点調節を行う構成としてもよい。
【０１０７】
また、この場合、カメラ本体２に記憶されている区分位置情報と、レンズ鏡筒３から送信される区分位置情報とが完全に合致していなければ、カメラ本体２に記憶されている区分位置情報とレンズ鏡筒３から送信される区分位置情報とが合致していないと判断する構成としてもよい。あるいは、カメラ本体２に記憶されている区分位置情報とレンズ鏡筒３から送信される区分位置情報とが一定範囲内となる場合には、カメラ本体２に記憶されている区分位置情報と、レンズ鏡筒３から送信される区分位置情報とが合致していると判断する構成としてもよい。たとえば、カメラ本体２に記憶されている分割区分数Ｎが１２である場合でも、カメラ制御部２１は、レンズ鏡筒３から実際に送信される分割区分数Ｎが３〜１００の範囲であれば、カメラ本体２に記憶されている区分位置情報と、レンズ鏡筒３から送信される区分位置情報とが合致していると判断する構成としてもよい。
【０１０８】
また、上述した実施形態では、レンズ鏡筒３が、区分位置情報を含むレンズ情報をカメラ本体２に送信する「第２通信態様」の通信に対応していないと判断された場合に、区分位置情報を用いることなく、光学系の焦点調節を適切に行うために、フォーカスレンズ３２を無限遠端または至近端まで駆動させた後に、フォーカスレンズ３２を駆動させながら焦点検出を行うスキャン動作を実行する構成を例示したが、この構成に限定されず、たとえば、以下のように、フォーカスレンズ３２を駆動させる構成としてもよい。すなわち、レンズ鏡筒３が「第２通信態様」に対応していないと判断された場合には、たとえば、図１５に示すように、一度、フォーカスレンズ３２を至近端まで駆動させ、さらに、フォーカスレンズ３２のレンズ駆動範囲を適切に把握するために、焦点検出を行うことなく、至近端から無限遠端までの全範囲においてフォーカスレンズ３２を駆動させ、その後、無限遠端から至近端に向けてスキャン駆動を行う構成としてもよい。同様に、一度、フォーカスレンズ３２を無限遠端まで駆動させ、さらに、フォーカスレンズ３２のレンズ駆動範囲を適切に把握するために、焦点検出を行うことなく、無限遠端から至近端までの全範囲においてフォーカスレンズ３２を駆動させ、その後、至近端から無限遠端に向けてスキャン駆動を行う構成としてもよい。また、このように、無限遠端または至近端までフォーカスレンズ３２を駆動させた後に、さらに、無限遠端から至近端までの全範囲においてフォーカスレンズ３２を駆動させる場合に、フォーカスレンズ３２を駆動させながら焦点検出を行う構成としてもよい。ただし、この場合、たとえ焦点評価値のピークが検出された場合でも、合焦位置の検出精度を担保するために、検出された焦点評価値のピーク位置を合焦位置と判定することなく、フォーカスレンズ３２を無限遠端から至近端までの全範囲において駆動させることが好適である。
【０１０９】
また、上述した実施形態では、レンズ鏡筒３が、区分位置情報を含むレンズ情報をカメラ本体２に送信する「第２通信態様」の通信に対応しているか否かを判断することで、コントラスト検出方式により焦点検出を行う際のフォーカスレンズ３２の駆動態様を異ならせる構成を例示したが、この構成に限定されず、たとえば、レンズ鏡筒３が「第２通信態様」に対応しているか否かを判断することで、位相差検出方式による焦点検出と、コントラスト検出方式による焦点検出とを同時に行う際のフォーカスレンズ３２の駆動態様を異ならせる構成としてもよい。
【０１１０】
さらに、上述した実施形態では、シャッターレリーズボタンが半押しされたタイミングで、レンズ鏡筒３が「第２通信態様」の通信に対応しているか否かを判断し、該判断結果に応じて、本撮影を行うための焦点調節を行う構成を例示したが、この構成に限定されず、たとえば、スルー画像を撮像する際に、レンズ鏡筒３が「第２通信態様」の通信に対応しているか否かを判断し、該判断結果に応じて、スルー画像を撮像するための焦点調節を行う構成としてもよい。
【０１１１】
また、上述した実施形態では、撮像素子２２上で位相差検出方式による焦点検出を行うことが可能な一眼デジタルカメラ１を例示して説明したが、この構成に限定されず、たとえば、図１６に示すように、一眼レフデジタルカメラ１ａ（以下、カメラ１ａという。）に、本発明を適用することができる。
【０１１２】
なお、図１６に示すカメラ１ａのカメラボディ２ａは、被写体からの光束を撮像素子２２、ファインダ１３５、測光センサ１３７および焦点検出モジュール１６１へ導くためのミラー系１２０を備えている。ミラー系１２０は、被写体の観察位置（図１６中破線で示す位置）にある状態では、被写体からの光束（光軸Ｌ１）の一部の光束（光軸Ｌ２，Ｌ３）を、ハーフミラーであるクイックリターンミラー１２１で反射する。これにより、一部の光束（光軸Ｌ２）は、撮像素子２２と光学的に等価な面に配置された焦点板１３１に結像され、結像した被写体像に、透過型液晶表示器１３２により被写体像に焦点検出エリアマークなどが重畳されて、ペンタプリズム１３３と接眼レンズ１３４とを介して、ファインダ１３５において、撮影者に観察されることとなる。また、一部の光束（光軸Ｌ３）は、レンズ１３６を介して、測光センサ１３７に導かれ、露出制御に用いられることとなる。一方、クイックリターンミラー１２１により透過された一部の光束（光軸Ｌ４）は、全反射ミラーであるサブミラー１２２で焦点検出モジュール１６１へ導かれ、上述した焦点検出に用いられる。
【符号の説明】
【０１１３】
１…デジタルカメラ
２…カメラ本体
２１…カメラ制御部
２２…撮像素子
２２１…撮像画素
２２２ａ，２２２ｂ…焦点検出画素
２９…カメラ通信部
３…レンズ鏡筒
３２…フォーカスレンズ
３６…フォーカスレンズ駆動モータ
３７…レンズ制御部
３８…レンズメモリ
３９…レンズ通信部
【図１】
2013257427.tif 000003
【図２】
2013257427.tif 000004
【図３】
2013257427.tif 000005
【図４】
2013257427.tif 000006
【図５】
2013257427.tif 000007
【図６】
2013257427.tif 000008
【図７】
2013257427.tif 000009
【図８】
2013257427.tif 000010
【図９】
2013257427.tif 000011
【図１０】
2013257427.tif 000012
【図１１】
2013257427.tif 000013
【図１２】
2013257427.tif 000014
【図１３】
2013257427.tif 000015
【図１４】
2013257427.tif 000016
【図１５】
2013257427.tif 000017
【図１６】
2013257427.tif 000018